(57)【要約】【課題】本発明が解決しようとする課題は、幅が狭い販売データ処理装置の筐体に収納が可能な棒金収納装置およびシステムを提供することである。【解決手段】実施形態の棒金収納装置は、筐体と、同一金種の硬貨を所定枚数整列させて包装した棒金を金種別に収納する収納部と、前記収納部を前記筐体に対して開放させる開放部と、前記収納部に設けられた棒金の有無を検知するセンサからの出力に基づいて、前記収納部に収納されている棒金の金種別の量を記憶する記憶部と、他の棒金収納装置と接続して、当該他の棒金収納装置から送信された棒金の金種別の量に係る第１情報を受信可能な第１通信部と、上位機器と接続して、前記記憶部が記憶した前記棒金の金種別の量に係る第２情報と、前記第１通信部が受信した前記第１情報を、前記上位機器に送信する第２通信部と、を備える。【選択図】図５
2020087025.tif 000002
【特許請求の範囲】
【請求項１】
筐体と、
同一金種の硬貨を所定枚数整列させて包装した棒金を金種別に収納する収納部と、
前記収納部を前記筐体に対して開放させる開放部と、
前記収納部に設けられた棒金の有無を検知するセンサからの出力に基づいて、前記収納部に収納されている棒金の金種別の量を記憶する記憶部と、
他の棒金収納装置と接続して、当該他の棒金収納装置から送信された棒金の金種別の量に係る第１情報を受信可能な第１通信部と、
上位機器と接続して、前記記憶部が記憶した前記棒金の金種別の量に係る第２情報と、前記第１通信部が受信した前記第１情報を、前記上位機器に送信する第２通信部と、
を備えた棒金収納装置。
【請求項２】
前記上位機器から供給された前記棒金収納装置を駆動するための電力を受給する電力受給部と、受給した電力の一部を前記他の棒金収納装置に供給する電力供給部、をさらに備えた、
請求項１に記載の棒金収納装置。
【請求項３】
前記第２通信部は、上位機器としての紙幣釣銭機に前記第１情報と前記第２情報を送信する、
請求項１または２に記載の棒金収納装置。
【請求項４】
上位機器と、当該上位機器と接続された第１棒金収納装置と、前記第１棒金収納装置と接続された一または複数の第２棒金収納装置とを備えたシステムであって、
前記上位機器は、
前記第１棒金収納装置と通信可能な上位通信部と、
前記第１棒金収納装置に記憶されている棒金の量および前記第２棒金収納装置に記憶されている棒金の量を棒金収納装置別に記憶する棒金在庫記憶部と、
を備え、
前記第１棒金収納装置は、
筐体と、
同一金種の硬貨を所定枚数整列させて包装した棒金を金種別に収納する収納部と、
前記収納部を前記筐体に対して開放させる開放部と、
前記収納部に設けられた棒金の有無を検知するセンサからの出力に基づいて、前記収納部に収納されている棒金の金種別の量を記憶する第１記憶部と、
前記第２棒金収納装置と接続して、当該第２棒金収納装置から送信された棒金の金種別の量に係る第１情報を受信する第１通信部と、
前記上位機器と接続して、前記第１記憶部が記憶した前記棒金の金種別の量に係る第２情報と、前記第１通信部が受信した前記第１情報を、前記上位機器の前記上位通信部に送信する第２通信部と、
を備え、
前記第２棒金収納装置は、
筐体と、
同一金種の硬貨を所定枚数整列させて包装した棒金を金種別に収納する収納部と、
前記収納部を前記筐体に対して開放させる開放部と、
前記収納部に設けられた棒金の有無を検知するセンサからの出力に基づいて、前記収納部に収納されている棒金の金種別の量を記憶する第２記憶部と、
他の第２棒金収納装置と接続して、当該他の第２棒金収納装置から送信された棒金の金種別の量に係る第３情報を受信する第３通信部と、
前記第１通信部と接続して、前記第２記憶部が記憶した前記棒金の金種別の量および前記第３通信部が受信した前記第３情報に係る前記第１情報を、前記第１棒金収納装置に送信する第４通信部と、
を備えたシステム。
【請求項５】
前記上位機器は、
前記第１棒金収納装置に電力を供給する上位電力供給部、をさらに備え、
前記第１棒金収納装置は、
前記上位機器から供給された前記第１棒金収納装置を駆動するための電力を受給する電力受給部と、受給した電力の一部を前記第２棒金収納装置に供給する電力供給部、をさらに備え、
前記第２棒金収納装置は、
前記上位機器から供給された前記第２棒金収納装置を駆動するための電力を受給する電力受給部と、受給した電力の一部をさらに他の棒金収納装置に供給する電力供給部、をさらに備えた、
請求項４に記載のシステム。
【発明の詳細な説明】
【技術分野】
【０００１】
本発明の実施形態は、棒金収納装置およびシステムに関する。
【背景技術】
【０００２】
従来、顧客に釣銭を払い出す硬貨釣銭機に補充する硬貨を収納する棒金収納装置が存在する。棒金収納装置は、同一金種の硬貨を所定枚数整列させて包装した棒金を金種別に収納する。
【０００３】
ところで、棒金収納装置は、店舗で販売される商品を売上登録処理する販売データ処理装置の筐体の内部に設置されることがある。最近は、店舗で販売される商品を顧客自身の操作で登録処理を行うセルフ型の販売データ処理装置が存在する。セルフ型の販売データ処理装置は狭いスペースに複数台設置されるため、一台あたりのセルフ型の販売データ処理装置の幅は狭いものが多い。そのため、特に、棒金収納装置が筐体の内部に収まらないことがある。
【発明の概要】
【発明が解決しようとする課題】
【０００４】
本発明が解決しようとする課題は、幅が狭い販売データ処理装置の筐体に収納が可能な棒金収納装置およびシステムを提供することである。
【課題を解決するための手段】
【０００５】
実施形態の棒金収納装置は、筐体と、同一金種の硬貨を所定枚数整列させて包装した棒金を金種別に収納する収納部と、前記収納部を前記筐体に対して開放させる開放部と、前記収納部に設けられた棒金の有無を検知するセンサからの出力に基づいて、前記収納部に収納されている棒金の金種別の量を記憶する記憶部と、他の棒金収納装置と接続して、当該他の棒金収納装置から送信された棒金の金種別の量に係る第１情報を受信可能な第１通信部と、上位機器と接続して、前記記憶部が記憶した前記棒金の金種別の量に係る第２情報と、前記第１通信部が受信した前記第１情報を、前記上位機器に送信する第２通信部と、を備える。
【図面の簡単な説明】
【０００６】
【図１】図１は、実施形態に係るシステムを示す図である。
【図２】図２は、ＰＯＳ端末の外観を示す正面図である。
【図３】図３は、紙幣釣銭機のハードウェア構成を示すブロック図である。
【図４】図４は、紙幣釣銭機の棒金在庫記憶部のデータ構成を示す図である。
【図５】図５は、棒金収納装置の概略を示す平面図である。
【図６】図６は、棒金収納装置のハードウェア構成を示すブロック図である。
【図７】図７は、紙幣釣銭機の制御処理を示すフローチャートである。
【図８】図８は、棒金収納装置の機能構成を示す機能ブロック図である。
【図９】図９は、棒金収納装置の制御処理を示すフローチャートである。
【発明を実施するための形態】
【０００７】
以下、図１〜図９を参照して、実施形態に係る棒金収納装置およびシステムについて説明する。実施形態では、紙幣釣銭機を上位装置の一例として説明する。なお、以下に説明する実施形態によりこの発明が限定されるものではない。
【０００８】
図１は、実施形態に係るシステムを示す図である。図１に示すように、システムは、販売データ処理装置であるセルフＰＯＳ端末（以降単にＰＯＳ端末）という）１、紙幣釣銭機２、硬貨釣銭機３、棒金ドロワ（棒金収納装置）４、棒金ドロワ（棒金収納装置）５、棒金ドロワ（棒金収納装置）６とを備える。ＰＯＳ端末１と紙幣釣銭機２は、通信回線９で相互に通信可能に接続されている。紙幣釣銭機２と硬貨釣銭機３は、通信回線１０で相互に通信可能に接続されている。
【０００９】
また、紙幣釣銭機２と棒金ドロワ４は、通信回線７で相互に通信可能に接続されている。また、棒金ドロワ４と棒金ドロワ５は、通信回線７で相互に通信可能に接続されている。また、棒金ドロワ５と棒金ドロワ６は、通信回線７で相互に通信可能に接続されている。なお、紙幣釣銭機２と棒金ドロワ４を接続する通信回線７と、棒金ドロワ４と棒金ドロワ５を接続する通信回線７は、棒金ドロワ４内で接続されている。すなわち、通信回線７を介して、紙幣釣銭機２と棒金ドロワ５は、直接接続されている。そのため、棒金ドロワ５は、通信回線７を介して直接紙幣釣銭機２と通信可能である。また、棒金ドロワ４と棒金ドロワ５を接続する通信回線７と棒金ドロワ５と棒金ドロワ６を接続する通信回線７は、棒金ドロワ５内で接続されている。すなわち、通信回線７を介して、紙幣釣銭機２と棒金ドロワ６は、直接接続されている。そのため、棒金ドロワ６は、通信回線７を介して直接紙幣釣銭機２と通信可能である。なお、棒金ドロワ４から見ると、棒金ドロワ５と棒金ドロワ６は他の棒金ドロワである。また、棒金ドロワ４が第１棒金収納装置であり、棒金ドロワ５または棒金ドロワ６が第２棒金収納装置である。
【００１０】
また、紙幣釣銭機２と棒金ドロワ４は、電源線８で相互に接続されている。そのため、紙幣釣銭機２は、棒金ドロワ４に対して電力を供給する。また、棒金ドロワ４と棒金ドロワ５は、電源線８で相互に接続されている。そのため、棒金ドロワ４は、棒金ドロワ５に対して電力を供給する。また、棒金ドロワ５と棒金ドロワ６は、電源線８で相互に接続されている。そのため、棒金ドロワ５は、棒金ドロワ６に対して電力を供給する。なお、紙幣釣銭機２と棒金ドロワ４を接続する電源線８と、棒金ドロワ４と棒金ドロワ５を接続する電源線８は、棒金ドロワ４内で接続されている。すなわち、電源線８を介して、紙幣釣銭機２と棒金ドロワ５は、直接接続されている。そのため、紙幣釣銭機２は、電源線８を介して直接棒金ドロワ５に電力を供給可能である。また、棒金ドロワ４と棒金ドロワ５を接続する電源線８と棒金ドロワ５と棒金ドロワ６を接続する電源線８は、棒金ドロワ５内で接続されている。すなわち、電源線８を介して、紙幣釣銭機２と棒金ドロワ６は、直接接続されている。そのため、紙幣釣銭機２は、電源線８を介して直接棒金ドロワ６に電力を供給可能である。
【００１１】
ＰＯＳ端末１は、購入する商品に付されたバーコードや二次元コード等のシンボルを読み取る構成と、読み取らせたシンボルで特定される商品の商品情報に基づいて決済操作を行う構成とを備えている。顧客は、購入する商品のシンボルを読み取らせ売上登録操作を行う。また顧客は、ＰＯＳ端末１が決済処理を行うための決済操作を行う。ＰＯＳ端末１は、顧客が行った売上登録操作に基づいて売上登録処理を実行する。また、ＰＯＳ端末１は、顧客が行った決済操作に基づいて決済処理を実行する。なお、ＰＯＳ端末１の詳細な構成は図２および図３で説明する。
【００１２】
ここで、売上登録処理とは、読み取られたシンボルに対応付けられた商品を特定する商品コードに基づいて当該商品の商品名や価格等の商品情報を表示し、記憶する処理を含む。また、決済処理とは、売上登録処理した商品の商品情報に基づいて、顧客との取引に係る合計金額や釣銭額を表示する処理、決済処理した商品の商品情報や決済情報を印字したレシートを発行する処理を含む。
【００１３】
紙幣釣銭機２は、商品の購入に伴い顧客から預かった紙幣分の預かり金を内部に搬入して、金種別に収納する。また、紙幣釣銭機２は、ＰＯＳ端末１から送信された合計金額情報と顧客から預かった預り金に基づいて算出された釣銭額のうち、紙幣分の釣銭を払い出す。また、紙幣釣銭機２は、硬貨分の釣銭情報を硬貨釣銭機３に送信する。
【００１４】
硬貨釣銭機３は、商品の購入に伴い顧客から預かった硬貨分の預かり金を内部に搬入して、金種別に収納する。また、硬貨釣銭機３は、紙幣釣銭機２から送信された硬貨分の釣銭を払い出す。
【００１５】
次に、ＰＯＳ端末１の外観について説明する。図２は、ＰＯＳ端末１の外観を示す正面図である。図２に示すように、ＰＯＳ端末１は、第１筐体１１と第２筐体１２とを備えている。第１筐体１１は、開放および閉止可能な扉１１１を備える。扉１１１は、ヒンジ部１１１ａを中心に上下方向に回動する。第１筐体１１は、内部に、紙幣釣銭機２、硬貨釣銭機３、棒金ドロワ４、棒金ドロワ５、棒金ドロワ６を収納している。棒金ドロワ４、棒金ドロワ５、棒金ドロワ６は、相互に縦方向に積まれて設けられる。すなわち、棒金ドロワ６の直上に棒金ドロワ５が積まれている。また、棒金ドロワ５の直上に棒金ドロワ４が積まれている。
【００１６】
読取部５０は、商品を特定するために、商品の外観や商品に付された符号（バーコードなど）を読み取るスキャナ５３を備えている。また、読取部５０は、商品販売データ処理に係るレシートを印字するプリンタ５１を備えている。プリンタ５１は、排出されたレシートを支持するレシート排出台５１ａを第１筐体１１から突出させている。すなわち、レシート排出台５１ａは、第１筐体１１に突出して設けられた凸形状の凸部である。さらに、読取部５０は、クレジットカードの読取りを行うカードリーダ５２を備えている。
【００１７】
表示操作部６０は、モニタ６１と、タッチパネル６２とを備える。モニタ６１は、情報を表示する。タッチパネル６２は、モニタ６１の表面に設けられており、オペレータである顧客が触れた位置に基づくキー情報を入力するキーボードである。
【００１８】
籠置き棚２０は、籠内の商品を取り出して読取部５０にかざす動作を行う際に、籠の置き場とする物置台である。籠置き棚２０は、ＰＯＳ端末１の一側方（図２ではＰＯＳ端末１の右側）に設けられている。
【００１９】
袋詰め棚８０は、スキャン後の商品を袋詰めするための台である。袋詰め棚８０は、ＰＯＳ端末１の他側方（籠置き棚２の反対側、図２ではＰＯＳ端末１の左側）に設けられている。
【００２０】
顧客は、購入する商品が入った籠を籠置き棚２０に載置する。次に顧客は、籠から商品を取り出して、商品に付されたシンボルをスキャナ５３に翳す。するとスキャナ５３はシンボルを読み取る。ＰＯＳ端末１は、読み取ったシンボルを解析して当該商品を特定する商品コードを取得する。その後、顧客は、シンボルを読み取らせた商品を袋詰め棚８０に設置された袋に詰める。
【００２１】
次に、紙幣釣銭機２のハードウェアについて説明する。図３は、紙幣釣銭機２のハードウェア構成を示すブロック図である。図３に示すように、紙幣釣銭機２は、ＣＰＵ（Central  Processing  Unit）２１、ＲＯＭ（Read  Only  Memory）２２、ＲＡＭ（Random  Access  memory）２３、メモリ部２４等を備えている。ＣＰＵ２１は、制御主体となる。ＲＯＭ２２は、各種プログラムを記憶する。ＲＡＭ２３は、各種データを展開する。メモリ部２４は、各種プログラムを記憶する。ＣＰＵ２１、ＲＯＭ２２、ＲＡＭ２３、メモリ部２４は、互いにデータバス２５を介して接続されている。ＣＰＵ２１とＲＯＭ２２とＲＡＭ２３が、制御部２００を構成する。すなわち、制御部２００は、ＣＰＵ２１がＲＯＭ２２やメモリ部２４に記憶されＲＡＭ２３に展開された制御プログラムに従って動作することによって、後述する紙幣釣銭機２の制御処理を実行する。
【００２２】
ＲＡＭ２３は、在高記憶部２３１と棒金在庫記憶部２３２を有する。在高記憶部２３１は、硬貨釣銭機３に収納されている硬貨の数（在高情報）を金種別に記憶する。また、在高記憶部２３１は、硬貨釣銭機３に収納されている硬貨の金額を記憶する。また、在高記憶部２３１は、紙幣釣銭機２に収納されている紙幣の数を金種別に記憶する。また、在高記憶部２３１は、紙幣釣銭機２に収納されている紙幣の金額を記憶する。棒金在庫記憶部２３２は、棒金ドロワ４と棒金ドロワ５と棒金ドロワ６に収納されている棒金の数を、棒金ドロワ別に記憶する。棒金在庫記憶部２３２については、図４で後述する。
【００２３】
メモリ部２４は、電源を切っても記憶情報が保持されるＨＤＤ（Hard  Disc  Drive）やフラッシュメモリ等の不揮発性メモリで構成される。メモリ部２４は、制御プログラム部２４１と在高閾値部２４２を有する。制御プログラム部２４１は、紙幣釣銭機２を制御する制御プログラムを記憶する。在高閾値部２４２は、硬貨釣銭機３に収納されているべき硬貨の最低の数を金種別に記憶する。硬貨釣銭機３に収納されている硬貨の数が、在高閾値部２４２に記憶されている最低の数を下回った金種は、硬貨釣銭機３に補充する必要がある。
【００２４】
また、制御部２００は、データバス２５およびコントローラ２６を介して、操作部２７、表示部２８、入金搬送部２９、入金識別部３０、リジェクト部３１、出金識別部３２、出金搬送部３３と接続している。
【００２５】
入金搬送部２９は、投入された紙幣を紙幣釣銭機２の内部に搬入する。入金識別部３０は、搬入された紙幣の金種と、紙幣の真贋を識別する。リジェクト部３１は、偽紙幣等を紙幣釣銭機２の外部に排出する。出金識別部３２は、釣銭として払い出す紙幣の金種を識別する。出金搬送部３３は、釣銭としての紙幣を紙幣釣銭機２の外部に払い出す。
【００２６】
また、制御部２００は、データバス２５を介して通信Ｉ／Ｆ３４、通信Ｉ／Ｆ３５、通信Ｉ／Ｆ３６と接続する。通信Ｉ／Ｆ３４（上位通信部）は、通信回線７を介して棒金ドロワ４、棒金ドロワ５、棒金ドロワ６と、相互に情報の送受信が可能に接続する。通信Ｉ／Ｆ３５は、通信回線９を介してＰＯＳ端末１と情報の送受信が可能に接続する。通信Ｉ／Ｆ３６は、通信回線１０を介して硬貨釣銭機３と情報の送受信が可能に接続する。
【００２７】
次に、棒金在庫記憶部２３２について説明する。図４は、紙幣釣銭機２の棒金在庫記憶部２３２のデータ構成を示す図である。棒金在庫記憶部２３２は、棒金ドロワ４、棒金ドロワ５、棒金ドロワ６内に収納されている棒金の数を、棒金ドロワ別に記憶する。図４に示すように、棒金在庫記憶部２３２は、棒金ドロワ４に収納されている１円硬貨、５円硬貨、１０円硬貨、５０円硬貨、１００円硬貨、５００円硬貨の棒金の数を、金種別に記憶する。同様に、棒金在庫記憶部２３２は、棒金ドロワ５に収納されている１円硬貨、５円硬貨、１０円硬貨、５０円硬貨、１００円硬貨、５００円硬貨の棒金の数を、金種別に記憶する。同様に、棒金在庫記憶部２３２は、棒金ドロワ６に収納されている１円硬貨、５円硬貨、１０円硬貨、５０円硬貨、１００円硬貨、５００円硬貨の棒金の数を、金種別に記憶する。
【００２８】
したがって、紙幣釣銭機２は、それぞれの棒金ドロワに収納されている金種別の棒金の数（棒金の量）を記憶している。
【００２９】
なお、１円硬貨、５円硬貨、１０円硬貨、５０円硬貨、１００円硬貨の棒金１本は、それぞれ５０枚の硬貨を整列させて、円柱状に包装している。また、５００円硬貨の棒金１本は、２５枚の硬貨を整列させて、円柱状に包装している。そのため、１円硬貨の棒金１本は５０円、５円硬貨の棒金１本は２５０円、１０円硬貨の棒金１本は５００円、５０円硬貨の棒金１本は２５００円、１００円硬貨の棒金１本は５０００円、５００円硬貨の棒金１本は１００００円である。そのため紙幣釣銭機２の棒金在庫記憶部２３２は、棒金ドロワ別に、各棒金ドロワが収納する硬貨の金種別の金額（棒金の量）を記憶するようにしてもよい。また、金種別の棒金の数および金種別の金額の両方を記憶するようにしてもよい。
【００３０】
また、紙幣釣銭機２は、電源３７を備える。電源３７は、自身の各部に電力を供給する。また、紙幣釣銭機２は、電源３７に接続された電源Ｉ／Ｆ３８（上位電力供給部）を備える。電源Ｉ／Ｆ３８は、電源３７から棒金ドロワ４に対して電力を供給する。
【００３１】
ここからは、棒金ドロワ４の構成について説明する。図５は、棒金ドロワ４の概略を示す平面図である。なお、棒金ドロワ５および棒金ドロワ６は、棒金ドロワ４と同一の構成である。
【００３２】
図５に示すように、棒金ドロワ４は、筐体４ａとドロワ４ｂとを備える。筐体４ａは、一面（図５では下側の面）が開放された中空の略直方体である。ドロワ４ｂは、筐体４ａの一面において、筐体４ａに対して開閉可能である。筐体４ａは、開放部５４を備えている。開放部５４は、例えばソレノイド４９（図６を参照）を有しており、ソレノイドに通電することで、筐体４ａに対し閉止されているドロワ４ｂを筐体４ａから開放する。
【００３３】
収納部であるドロワ４ｂは、金種別の棒金を整列させて収納する複数の棒金収納部５５を備える。ドロワ４ｂを筐体４ａから開放した状態で、棒金を取り出すことができる。ドロワ４ｂを筐体４ａに閉止した状態では、棒金を取り出すことができない。
【００３４】
各棒金収納部５５付近には、それぞれ棒金センサが設けられている。棒金センサ５６は、棒金収納部５５に棒金が収納されているか否か（棒金の有無）を検知する。すなわち、棒金センサ５６が棒金が収納されていることを検知した金種の棒金の数が、当該棒金ドロワに収納されている棒金の数である。後述する制御部４００は、棒金が収納されていることを検知した棒金センサ５６の出力に基づいて、当該棒金ドロワに収納されている金種別の棒金の数を記憶する。
【００３５】
また、筐体４ａには、後述する制御部４００を含む回路基板４００ａを備える。そして、回路基板４００ａには、情報を送受信する通信Ｉ／Ｆ７０（第１通信部）と通信Ｉ／Ｆ７１（第２通信部）を備える。また、回路基板４００ａには、電力の供給と受給をする電源Ｉ／Ｆ７２（電力需給部）と電源Ｉ／Ｆ７３（電力供給部）を備える。
【００３６】
なお、棒金ドロワ４、棒金ドロワ５、棒金ドロワ６は、幅方向（図５における左右方向）が狭くなるようにスリム化して形成されている。例えば、棒金ドロワに収納できる棒金の数を従前の棒金ドロワより減らして、棒金ドロワの幅方向をスリム化した。そのため、棒金ドロワ４、棒金ドロワ５、棒金ドロワ６は、第１筐体１１または第２筐体１２に収納することができる。なお、棒金ドロワ４、棒金ドロワ５、棒金ドロワ６は、幅方向以外をスリム化して、第１筐体１１または第２筐体１２に収納できるようにしてもよい。
【００３７】
次に、棒金ドロワ４のハードウェア構成について説明する。なお、棒金ドロワ５のハードウェア構成、棒金ドロワ６のハードウェア構成は、棒金ドロワ４のハードウェア構成と同一である。ここでは、代表して棒金ドロワ４のハードウェア構成を説明する。
【００３８】
図６は、棒金ドロワ４のハードウェア構成を示すブロック図である。図６に示すように、棒金ドロワ４は、ＣＰＵ４１、ＲＯＭ４２、ＲＡＭ４３、メモリ部４４等を備えている。ＣＰＵ４１は、制御主体となる。ＲＯＭ４２は、各種プログラムを記憶する。ＲＡＭ４３は、各種データを展開する。メモリ部４４は、各種プログラムを記憶する。ＣＰＵ４１、ＲＯＭ４２、ＲＡＭ４３、メモリ部４４は、互いにデータバス４５を介して接続されている。ＣＰＵ４１とＲＯＭ４２とＲＡＭ４３が、制御部４００を構成する。すなわち、制御部４００は、ＣＰＵ４１がＲＯＭ４２やメモリ部４４に記憶されＲＡＭ４３に展開された制御プログラムに従って動作することによって、後述する棒金ドロワ４の制御処理を実行する。
【００３９】
ＲＡＭ４３は、棒金記憶部４３１（第１記憶部）を有する。棒金記憶部４３１は、棒金ドロワ４に収納されている棒金の数を、棒金の金種別に記憶する。なお、棒金ドロワ５および棒金ドロワ６のＲＡＭ４３に設けられた棒金記憶部４３１は第２記憶部である。
【００４０】
メモリ部４４は、電源を切っても記憶情報が保持されるＨＤＤ（Hard  Disc  Drive）やフラッシュメモリ等の不揮発性メモリで構成される。メモリ部４４は、制御プログラム部４４１を有する。制御プログラム部４４１は、棒金ドロワ４を制御する制御プログラムを記憶する。
【００４１】
また、制御部４００は、データバス４５およびコントローラ４６を介して、操作部４７、表示部４８、ソレノイド４９、棒金センサ５６と接続している。制御部４００は、ソレノイド４９に通電して開放部５４を駆動させる。また、制御部４００は、棒金センサ５６が出力する、棒金の収納の有無の信号を受信する。
【００４２】
また、制御部４００は、データバス４５を介して通信Ｉ／Ｆ７０、通信Ｉ／Ｆ７１と接続する。通信Ｉ／Ｆ７０は、通信回線７を介して棒金ドロワ５の通信Ｉ／Ｆ７１と接続する。また、通信Ｉ／Ｆ７１は、通信回線７を介して紙幣釣銭機２の通信Ｉ／Ｆ３４と接続する。また、通信Ｉ／Ｆ７０と通信Ｉ／Ｆ７１は、通信回線７ａを介して相互に接続されている。通信回線７ａは、通信回線７の一部であり、通信Ｉ／Ｆ７０に接続されている通信回線７、および通信Ｉ／Ｆ７１に接続されている通信回線７と、相互に接続している。そのため、通信Ｉ／Ｆ７１は、通信Ｉ／Ｆ７０が棒金ドロワ５から受信した第１情報を、そのまま紙幣釣銭機２に送信することができる。
【００４３】
すなわち、通信Ｉ／Ｆ７０は、棒金ドロワ５から第１情報を受信する。通信Ｉ／Ｆ７０は、棒金ドロワ５から受信した第１情報を、通信回線７ａを介して通信Ｉ／Ｆ７１に出力する。通信Ｉ／Ｆ７１は、入力した第１情報を紙幣釣銭機２に送信する。なお、制御部４００は、第１情報を棒金ドロワ内に取り込んでもよい。また、通信Ｉ／Ｆ７１は、紙幣釣銭機２から受信した情報を、通信回線７ａを介して通信Ｉ／Ｆ７０に出力する。通信Ｉ／Ｆ７０は、入力した情報を棒金ドロワ５に送信する。なお、第１情報は、棒金ドロワ５に収納されている棒金の金種別の数の情報である。また、第１情報は、棒金ドロワ６に収納されている棒金の金種別の数の情報である。
【００４４】
また、通信Ｉ／Ｆ７１は、棒金記憶部４３１に記憶されている、棒金ドロワ４が収納する棒金の金種別の数の情報（第２情報）を、紙幣釣銭機２に送信する。
【００４５】
また、電源Ｉ／Ｆ７２は、電源線８を介して紙幣釣銭機２の電源に接続されている。電源Ｉ／Ｆ７３は、電源線８を介して棒金ドロワ５の電源Ｉ／Ｆ７２と接続されている。また、電源Ｉ／Ｆ７２と電源Ｉ／Ｆ７３は、電源線８ａを介して相互に接続されている。電源線８ａは、電源線８の一部であり、電源Ｉ／Ｆ７２に接続されている電源線８、および電源Ｉ／Ｆ７３に接続されている電源線８と、相互に接続している。そのため、電源Ｉ／Ｆ７３は、電源Ｉ／Ｆ７２が紙幣釣銭機２から受給した電力の一部を、棒金ドロワ５に供給する。なお、電源７４は、電源Ｉ／Ｆ７２が紙幣釣銭機２から受給した電力の一部を棒金ドロワ４の各部に供給して、棒金ドロワ４を駆動する。
【００４６】
ここからは、紙幣釣銭機２の制御に着いて説明する。図７は、紙幣釣銭機２の制御処理を示すフローチャートである。図７に示すように、紙幣釣銭機２の制御部２００は、顧客が支払った金銭のうちの紙幣が投入口から投入されたかを判断する（Ｓ１１）。紙幣が投入されたと判断した場合には（Ｓ１１のＹｅｓ）、制御部２００は、投入された紙幣を紙幣釣銭機２の内部に搬入する（Ｓ１２）。次に制御部２００は、搬入された紙幣の真贋を調査して正貨であるかを判断する（Ｓ１３）。正貨であると判断した場合には（Ｓ１３のＹｅｓ）、制御部２００は、当該紙幣を紙幣収納部に金種別に収納する（Ｓ１４）。そして制御部２００は、収納されている紙幣の金種別の数を算出する（Ｓ１５）とともに、金種別の金額と合計金額を算出する。そして制御部２００は、紙幣の金種別の数と金種別の金額と合計金額を、在高記憶部２３１に記憶する（Ｓ１６）。そして制御部２００は、Ｓ１１に戻る。また、正貨ではないと判断した場合には（Ｓ１３のＮｏ）、制御部２００は、リジェクト部３１を駆動して正貨ではない紙幣を外部に排出する（Ｓ１７）。そして制御部２００は、Ｓ１１に戻る。
【００４７】
また、Ｓ１１において、紙幣の投入ではないと判断した場合には（Ｓ１１のＮｏ）、制御部２００は、ＰＯＳ端末１から釣銭情報を受信したかを判断する（Ｓ２１）。ＰＯＳ端末１から釣銭情報を受信したと判断した場合には（Ｓ２１のＹｅｓ）、制御部２００は、受信した釣銭情報に基づいて、紙幣分の釣銭額の紙幣を払い出す（Ｓ２２）。Ｓ２２の処理において、制御部２００は、硬貨分の釣銭額を算出して、硬貨釣銭機３に送信する。硬貨釣銭機３は、受信した硬貨分の釣銭額に応じた釣銭を払い出す。
【００４８】
次に制御部２００は、在高記憶部２３１に記憶されている在高とＳ２２で払い出した紙幣の数とに基づいて、紙幣釣銭機２に収納されている紙幣の数と金額を、金種別に算出する（Ｓ２３）。そして制御部２００は、Ｓ２３で算出した紙幣の数と金額を在高記憶部２３１に上書きして記憶する（Ｓ２４）。そして制御部２００は、Ｓ１１に戻る。
【００４９】
また、Ｓ２１において、釣銭情報の受信ではないと判断した場合には（Ｓ２１のＮｏ）、制御部２００は、棒金ドロワ４、棒金ドロワ５、棒金ドロワ６のいずれかから、棒金在庫情報を受信したかを判断する（Ｓ３１）。いずれかの棒金ドロワから棒金在庫情報を受信したと判断した場合には（Ｓ３１のＹｅｓ）、制御部２００は、当該棒金ドロワの棒金在庫情報を、棒金在庫記憶部２３２に記憶する（Ｓ３２）。例えば、棒金ドロワ４から棒金在庫情報を受信した場合には、棒金在庫記憶部２３２の棒金ドロワ４に対応付けられた領域に、棒金在庫情報を記憶する。そして制御部２００は、Ｓ１１に戻る。
【００５０】
また、Ｓ３１において、棒金ドロワからの金在庫情報の受信ではないと判断した場合には（Ｓ３１のＮｏ）、制御部２００は、硬貨釣銭機３から硬貨の在高の情報を受信したかを判断する（Ｓ３３）。硬貨釣銭機３から硬貨の在高の情報を受信したと判断した場合には（Ｓ３３のＹｅｓ）、制御部２００は、在高記憶部２３１に、受信した硬貨の在高情報を記憶する（Ｓ３４）。そして制御部２００は、Ｓ１１に戻る。
【００５１】
また、Ｓ３３において、硬貨の在高情報の受信ではないと判断した場合には（Ｓ３３のＮｏ）、制御部２００は、在高記憶部２３１に記憶されている硬貨の在高情報と在高閾値部２４２に記憶されている金種別の硬貨の最低の数（硬貨釣銭機３に硬貨を補充する必要がある程の少ない硬貨の数）とに基づいて、硬貨釣銭機３に収納されている硬貨に不足している金種の硬貨があるかを判断する（Ｓ３５）。在高記憶部２３１に記憶されている硬貨の在高が在高閾値部２４２に記憶されている数より少ない金種がある場合は、制御部２００は、不足している金種の硬貨があると判断する。在高記憶部２３１に記憶されている硬貨の在高が在高閾値部２４２に記憶されている数より少ない金種がない場合は、制御部２００は、不足している金種の硬貨はないと判断する。不足している金種の硬貨があると判断した場合には（Ｓ３５のＹｅｓ）、制御部２００は、ＰＯＳ端末１に対して、不足している硬貨の金種を含む不足情報を送信する（Ｓ３６）。そして制御部２００は、Ｓ１１に戻る。
【００５２】
ＰＯＳ端末１は、不足情報を表示部に表示する。不足情報を見た店員は、ＰＯＳ端末１から（あるいは、図示しないアテンダント端末から）、硬貨釣銭機３に対して釣銭を追加するための指令情報（追加する金種の情報を含む）を、紙幣釣銭機２に送信する。
【００５３】
硬貨釣銭機３に収納されている硬貨に不足している金種の硬貨はないと判断した場合（Ｓ３５のＮｏ）、制御部２００は、ＰＯＳ端末１から指令情報を受信したかを判断する（Ｓ３７）。ＰＯＳ端末１から指令情報を受信したと判断した場合には（Ｓ３７のＹｅｓ）、制御部２００は、受信した指令情報に含まれる金種情報に基づいて、当該金種の棒金を収納している棒金ドロワを判断して、当該棒金ドロワを特定する番号を付して、ドロワ４ｂの開放指令を送信する（Ｓ３８）。そして制御部２００は、Ｓ１１に戻る。
【００５４】
ここからは、実施形態に係る棒金ドロワ４の機能構成について説明する。なお棒金ドロワ５、棒金ドロワ６も同じ機能構成である。図８は、棒金収納装置の機能構成を示す機能ブロック図である。
【００５５】
図８に示すように、棒金ドロワ４の制御部４００は、記憶部４０１として機能する。なお、記憶部４０１は、実施形態における制御部４００の機能を示すものであり、特許請求の範囲に記載された構成を制限的に解釈させるものではない。
【００５６】
図８に示すように、記憶部４０１は、ドロワ４ｂに設けられた棒金の有無を検知する棒金センサ５６からの出力に基づいて、ドロワ４ｂに収納されている棒金の金種別の量を記憶する。
【００５７】
次に、実施形態に係る棒金ドロワ４の制御処理について説明する。なお棒金ドロワ５、棒金ドロワ６も同じ制御処理を行う。図９は、棒金ドロワ４の制御処理を示すフローチャートである。図９に示すように、棒金ドロワ４の制御部４００は、所定のタイミング（例えば１分毎）で各棒金センサ５６が検知した信号の状態を判断する（Ｓ４１）。棒金センサ５６がオンしている信号を出力している場合、当該棒金センサ５６は、棒金を検知していない。棒金センサ５６がオフしている信号を出力している場合、当該棒金センサ５６は、棒金を検知している。制御部４００は、各棒金センサ５６からの出力を見て、棒金センサ５６がオンしているかオフしているかを判断し、棒金センサ５６がオンしている棒金収納部５５には棒金が収納されていないと判断し、棒金センサ５６がオフしている棒金収納部５５には棒金が収納されていると判断する。
【００５８】
各棒金センサ５６からの信号が検知した信号の状態を判断した場合には（Ｓ４１のＹｅｓ）、制御部４００は、各棒金センサ５６からの信号に基づいて、棒金ドロワ４に収納されている棒金の数（棒金の在庫状況）を金種別に集計する（Ｓ４２）。そして記憶部４０１は、集計した棒金の数を金種別に、棒金記憶部４３１に記憶する（Ｓ４３）。そして制御部４００は、棒金記憶部４３１に記憶した金種別の棒金の数の情報（第２情報）を、通信Ｉ／Ｆ７１から通信回線７を介して紙幣釣銭機２に送信する（Ｓ４４）。なお、棒金ドロワ５の場合、制御部４００は、棒金記憶部４３１に記憶した金種別の棒金の数の情報（第２情報）を、通信Ｉ／Ｆ７１から通信回線７および棒金ドロワ４を介して紙幣釣銭機２に送信する。また、棒金ドロワ６の場合、制御部４００は、棒金記憶部４３１に記憶した金種別の棒金の数の情報（第２情報）を、通信Ｉ／Ｆ７１から通信回線７および棒金ドロワ５および棒金ドロワ４を介して紙幣釣銭機２に送信する。そして制御部４００は、Ｓ４１に戻る。
【００５９】
また、各棒金センサ５６からの信号の状態の検知ではないと判断した場合には（Ｓ４１のＮｏ）、制御部４００は、紙幣釣銭機２から開放指令を受信したかを判断する（Ｓ５１）。紙幣釣銭機２から開放指令を受信したと判断した場合には（Ｓ５１のＹｅｓ）、制御部４００は、受信した開放指令に、棒金ドロワ４を特定する番号が含まれているかを判断する（Ｓ５２）。棒金ドロワ４を特定する番号が含まれていると判断した場合には（Ｓ５２のＹｅｓ）、制御部４００は、開放部５４を駆動して、筐体４ａからドロワ４ｂを開放する（Ｓ５３）。そして制御部４００は、Ｓ４１に戻る。店員は、開放されたドロワ４ｂから不足している棒金を取り出してからドロワ４ｂを閉止する。
【００６０】
なお、棒金ドロワ４を特定する番号が含まれていないと判断した場合には（Ｓ５２のＮｏ）、制御部４００は、ドロワ４ｂを開放することなくＳ４１に戻る。また、紙幣釣銭機２からの開放指令の受信ではないと判断した場合には（Ｓ５１のＮｏ）、制御部４００はＳ４１に戻る。
【００６１】
このような実施形態によれば、棒金ドロワ４、棒金ドロワ５、棒金ドロワ６は、幅方向をスリム化した形状であるとともに、通信Ｉ／Ｆ７０と通信Ｉ／Ｆ７１を備えている。そのため、複数の棒金ドロワを縦方向に重ねて（積んで）ＰＯＳ端末１の筐体４ａ内に収納することができ、ＰＯＳ端末１が、幅が狭い筐体であっても、筐体４ａ内に収納が可能である。
【００６２】
また、実施形態によれば、棒金ドロワ４、棒金ドロワ５、棒金ドロワ６は、電源の供給と受給をする電源Ｉ／Ｆ７２と電源Ｉ／Ｆ７３を備えるため、紙幣釣銭機２から電力を受給し、また他の棒金ドロワに対して電力を供給することができる。
【００６３】
なお、請求項４と請求項５に記載したシステムは、実施形態では、紙幣釣銭機２と、棒金ドロワ４と棒金ドロワ５と棒金ドロワ６のうちいずれか２個とを備える。
【００６４】
以上、本発明の実施形態および変形例を説明したが、この実施形態および変形例は、例として提示したものであり、発明の範囲を限定することは意図していない。この実施形態および変形例は、その他の様々な形態で実施されることが可能であり、発明の要旨を逸脱しない範囲で、種々の省略、置き換え、変更、組み合わせを行うことができる。この実施形態および変形例は、発明の範囲や要旨に含まれるとともに、特許請求の範囲に記載された発明とその均等の範囲に含まれる。
【００６５】
例えば、実施形態では、上位機器の一例として紙幣釣銭機２を用いて説明した。しかしながら、これに限らず、上位機器は、例えばＰＯＳ端末１は硬貨釣銭機３であってもよい。
【００６６】
また、実施形態では、販売データ処理装置として、セルフ型のＰＯＳ端末１を用いて説明した。しかしながら、これに限らず、販売データ処理装置は、例えば、顧客自身ではなく、オペレータが操作する通常のＰＯＳ端末であってもよい。また、販売データ処理装置は、セミセルフ型の会計装置であってもよい。
【００６７】
また、実施形態では、棒金ドロワ４、棒金ドロワ４、棒金ドロワ６の３個の棒金ドロワを用いて説明した。しかしながら、これに限らず、棒金ドロワは１個以上であればよい。
【符号の説明】
【００６８】
１      ＰＯＳ端末
２      紙幣釣銭機
３      硬貨釣銭機
４      棒金ドロワ
４ａ    筐体
４ｂ    ドロワ
５      棒金ドロワ
６      棒金ドロワ
７      通信回線
７ａ    通信回線
８      電源線
８ａ    電源線
９      通信回線
１０    通信回線
４１    ＣＰＵ
４２    ＲＯＭ
４３    ＲＡＭ
４４    メモリ部
５４    開放部
５５    棒金収納部
５６    棒金センサ
２００  制御部
２３１  在高記憶部
２３２  棒金在庫記憶部
２４２  在高閾値部
４００  制御部
４０１  記憶部
４３１  棒金記憶部
【先行技術文献】
【特許文献】
【００６９】
【特許文献１】特開２００９−１９３３４８号公報
【図１】
2020087025.tif 000003
【図２】
2020087025.tif 000004
【図３】
2020087025.tif 000005
【図４】
2020087025.tif 000006
【図５】
2020087025.tif 000007
【図６】
2020087025.tif 000008
【図７】
2020087025.tif 000009
【図８】
2020087025.tif 000010
【図９】
2020087025.tif 000011